(57)【要約】【課題】  良好な画質の画像表示を実現する。【解決手段】  複数の画素と、画素を駆動する駆動信号を出力する駆動回路と、所定の画素に対応する入力信号を補正値によって補正して駆動回路側に出力する補正回路とを有し、補正値として、所定の画素の近傍に位置する画素の駆動状態を反映した値であり、かつ、上記入力信号の値と上記画素の表示階調との間の非線形特性に応じた調整が前記所定の画素に対応する入力信号の値に基づいて行われた値を採用する。【選択図】  図３
2005301218.tif 000002
【特許請求の範囲】
【請求項１】
複数の画素と、
上記画素を駆動する駆動信号を出力する駆動回路と、
所定の画素に対応する入力信号を補正値によって補正して上記駆動回路側に出力する補正回路とを有し、
上記補正値は、
上記所定の画素の近傍に位置する画素の駆動状態を反映した値であり、かつ、上記入力信号の値と上記画素の表示階調との間の非線形特性に応じた調整が前記所定の画素に対応する入力信号の値に基づいて行われた値である、
ことを特徴とする画像表示装置。
【請求項２】
発光体と上記発光体を励起させる素子とをそれぞれが有する複数の画素と、
上記素子を駆動する駆動信号を出力する駆動回路と、
上記駆動回路の前段に設けられ、所定の画素に対応する入力信号を補正値によって補正して上記駆動回路側に出力する補正回路とを有し、
上記補正値が、
上記所定の画素の近傍に位置する画素に対応する上記素子が駆動されることによって生じるエネルギー線が上記所定の画素の発光体に入射する量に対応する評価値を、上記入力信号の値と上記画素の表示階調との間の非線形特性に応じて、上記所定の画素に対応する入力信号の値に基づいて調整した値に対応する値である
ことを特徴とする画像表示装置。
【請求項３】
上記評価値が、上記所定の画素の近傍に位置する画素のうちの、上記所定の画素とは異なるタイミングで駆動される画素に対応する上記素子が駆動されることによって生じるエネルギー線が上記所定の画素の発光体に入射する量に対応する値である請求項２に記載の画像表示装置。
【請求項４】
上記補正値によって、上記所定の入力信号を、補正された信号によって得られる表示階調が補正されない入力信号によって得られる表示階調よりも小さくなるように補正する請求項２または３に記載の画像表示装置。
【請求項５】
複数の上記素子のうちの一部の上記素子が駆動されることによって生じるエネルギー線が該素子が対応する発光体に近接する発光体に入射されるのを抑制する遮蔽部材を有しており、
上記評価値は、上記所定の画素の近傍に位置する画素に対応する上記素子が駆動されることによって生じるエネルギー線であって、上記遮蔽部材によって上記所定の画素の上記所定の発光体への入射が抑制されないエネルギー線が上記所定の画素の発光体に入射する量に対応する値である、請求項２乃至４のいずれかに記載の画像表示装置。
【請求項６】
発光体と上記発光体を励起させる素子とをそれぞれが有する複数の画素と、
上記素子を駆動する駆動信号を出力する駆動回路と、
複数の上記素子のうちの一部の上記素子が駆動されることによって生じるエネルギー線が該素子が対応する発光体に近接する発光体に入射されるのを抑制する遮蔽部材と、
上記駆動回路の前段に設けられ、所定の画素に対応する入力信号を補正値によって補正して上記駆動回路側に出力する補正回路とを有し、
上記補正値が、
上記所定の画素の近傍に位置する画素に対応する上記素子が駆動されることによって生じるエネルギー線であって、上記遮蔽部材によって上記所定の画素の上記発光体への入射が抑制されるエネルギー線の量に対応する評価値を、上記入力信号の値と上記画素の表示
階調との間の非線形特性に応じて、上記所定の画素に対応する入力信号の値に基づいて調整した値に対応する値である
ことを特徴とする画像表示装置。
【請求項７】
上記評価値が、上記所定の画素の近傍に位置する画素のうちの、上記所定の画素とは異なるタイミングで駆動される画素に対応する上記素子が駆動されることによって生じるエネルギー線であって、上記遮蔽部材によって上記所定の画素の上記発光体への入射が抑制されるエネルギー線の量に対応する値である請求項６に記載の画像表示装置。
【請求項８】
上記補正値によって、上記所定の入力信号を、補正された信号によって得られる表示階調が補正されない入力信号によって得られる表示階調よりも大きくなるように補正する請求項６または７に記載の画像表示装置。
【請求項９】
上記補正値が、
上記入力信号の値と上記画素の表示階調との間の非線形特性を示す特性曲線の、上記所定の画素に対応する入力信号の値近傍での傾きで、上記評価値を除算した値に対応する値である請求項２乃至８のいずれかに記載の画像表示装置。
【請求項１０】
複数の画素と、
所定の画素の近傍に位置する画素が駆動されることによって生じるエネルギー線が前記所定の画素の発光体に入射する量を評価した値を算出する回路と、
前記評価した値を、入力信号の値と画素の表示階調の間の非線形特性に応じて、入力信号の値に基づいて調整する調整回路と、
前記調整された値に基づいて入力信号を補正する回路と、
該補正を受けた信号に基づいて上記画素を駆動する駆動信号を出力する駆動回路とを有する
ことを特徴とする画像表示装置。
【請求項１１】
複数の画素と、
複数の上記画素のうちの一部の上記画素が駆動されることによって生じるエネルギー線が該画素に近接する画素の発光体に入射されるのを抑制する遮蔽部材と、
所定の画素の近傍に位置する画素が駆動されることによって生じるエネルギー線であって、上記遮蔽部材によって上記所定の画素の上記発光体への入射が抑制されるエネルギー線の量に対応する評価値を算出する回路と、
前記評価した値を、入力信号の値と画素の表示階調の間の非線形特性に応じて、入力信号の値に基づいて調整する調整回路と、
前記調整された値に基づいて入力信号を補正する回路と、
該補正を受けた信号に基づいて上記画素を駆動する駆動信号を出力する駆動回路とを有する
ことを特徴とする画像表示装置。
【請求項１２】
テレビジョン装置であって、
番組を再生するための信号を受信する受信部と、
該受信部で受信した信号に基づく入力信号によって画像表示を行う請求項１乃至１１のいずれか１項に記載の画像表示装置とを有する
ことを特徴とするテレビジョン装置。
【請求項１３】
画像信号の補正方法であって、
所定の画素の近傍に位置する画素の駆動状態を反映した値を算出するステップと、
該算出した値を、入力信号の値と画素の表示階調との間の非線形特性に応じて、前記所
定の画素に対応する入力信号の値に基づいて調整するステップと、
該調整した値に基づいて画像信号を補正するステップとを有する
ことを特徴とする画像信号の補正方法。
【発明の詳細な説明】
【技術分野】
【０００１】
この発明は、画像表示装置および駆動信号の補正方法に関し、特に、エネルギー線によって発光体を発光させる画像表示装置に適用して好適なものである。
【背景技術】
【０００２】
従来、種々の画像表示装置が知られている。発光体にエネルギー線が照射されることで発光を得る画像表示装置としては、エネルギー線として電子線を用いた画像表示装置や、エネルギー線として紫外線を用いたプラズマディスプレイがある。
【０００３】
電子線源となる電子放出素子を用いた画像表示装置として、例えば、コーン型の電極と、この電極に近接したゲート電極とを有する、いわゆるスピント型の電子放出素子を用いる構成や、電子放出素子として表面伝導型放出素子を用いる構成や、カーボンナノチューブを電子放出素子として用いる構成などが知られている。このような、電子放出素子を用いた画像表示装置の例としては、特許文献１や特許文献２に開示されたものを挙げることができる。
【０００４】
また紫外線線となるプラズマ発生素子（プラズマ発生用電極対）を用いたプラズマディスプレイはすでに市販されている。またプラズマ発生素子をアドレスに用いる構成も知られており、そのようなプラズマアドレスディスプレイの構成は、例えば、特許文献３に開示されている。この特許文献３に記載された例においては、プラズマアドレスディスプレイの映像データ間の干渉による画質劣化を、干渉を起こす画素のデータを考慮する補正によって抑制する方法が開示されている。
【特許文献１】特開平１１−２５０８４０号公報
【特許文献２】特開平１１−２５０８３９号公報
【特許文献３】特開２００１−１３４８２号公報
【発明の開示】
【発明が解決しようとする課題】
【０００５】
この発明の目的は、良好な画質を実現できる画像表示装置を実現することができる画像表示装置および駆動信号の補正方法を提供することにある。
【課題を解決するための手段】
【０００６】
この発明の第１の発明は、
複数の画素と、
上記画素を駆動する駆動信号を出力する駆動回路と、
所定の画素に対応する入力信号を補正値によって補正して上記駆動回路側に出力する補正回路とを有し、
上記補正値は、
上記所定の画素の近傍に位置する画素の駆動状態を反映した値であり、かつ、上記入力信号の値と上記画素の表示階調との間の非線形特性に応じた調整が前記所定の画素に対応する入力信号の値に基づいて行われた値である、
ことを特徴とする画像表示装置である。
【０００７】
調整を所定の画素に対応する入力信号の値に基づいて行う構成として、前記所定の画素に直接対応する入力信号の値を直接利用して調整する構成を好適に採用できるが、入力信号の値に微少な値を加算または減算した値や、入力信号の値に１近傍のゲインをかけた値（所定画素に対応する入力信号の値そのものではないが、所定画素に対応する入力信号の
値に相当する値として利用できる値）を利用して調整するといった構成、すなわち所定の画素に対応する入力信号の値に間接的に基づいて調整を行う構成も採用できる。また近傍に位置する複数の画素のそれぞれに対応する入力信号は近い値を有している場合が多いことを利用して、所定の画素に対応する入力信号の値として、該所定の画素の近傍の画素に直接対応する入力信号の値を上述のように直接または間接的に利用して調整を行う構成も採用できる。なお、この発明においては、上述した、または以下に更に具体的に述べる補正値を採用するが、ここでいう補正値が他の目的の補正を行うための要件を更に含んでいてもよい。また補正回路または他の回路によって他の補正値を用いて他の補正をも行う構成を排除するものでもない。
【０００８】
また、この発明の第２の発明は、
発光体と上記発光体を励起させる素子とをそれぞれが有する複数の画素と、
上記素子を駆動する駆動信号を出力する駆動回路と、
上記駆動回路の前段に設けられ、所定の画素に対応する入力信号を補正値によって補正して上記駆動回路側に出力する補正回路とを有し、
上記補正値が、
上記所定の画素の近傍に位置する画素に対応する上記素子が駆動されることによって生じるエネルギー線が上記所定の画素の発光体に入射する量に対応する評価値を、上記入力信号の値と上記画素の表示階調との間の非線形特性に応じて、上記所定の画素に対応する入力信号の値に基づいて調整した値に対応する値である
ことを特徴とする画像表示装置である。
【０００９】
補正値が前記評価値を入力信号の価に基づいて調整した値に対応する値である、とは、前記補正値が前記評価値を前記入力信号の価によって調整した値（前記入力信号の値と相関がある値（前記入力信号が対応する画素の近傍の画素に対応する入力信号の値など）によって調整した値である場合を含み、及び/または、入力信号の値以外の値によっても調
整を加えた値である場合も含む）そのものである場合や、前記評価値を調整した値を利用することによって得られる値（前記評価値を前記入力信号の価のみによって調整した値と、他の値とによって決まる値など）である場合や、他の方法によって結果として得られる、前記評価値を前記入力信号の値に基づいて調整した値と同等の値である場合を含む。
【００１０】
ここで、上記評価値が、上記所定の画素の近傍に位置する画素のうちの、上記所定の画素とは異なるタイミングで駆動される画素に対応する上記素子が駆動されることによって生じるエネルギー線が上記所定の画素の発光体に入射する量に対応する値である構成を公的に採用できる。
【００１１】
また、上記補正値によって、上記所定の入力信号を、補正された信号によって得られる表示階調が補正されない入力信号によって得られる表示階調よりも小さくなるように補正する構成を好適に採用できる。
【００１２】
また、複数の上記素子のうちの一部の上記素子が駆動されることによって生じるエネルギー線が該素子が対応する発光体に近接する発光体に入射されるのを抑制する遮蔽部材を有しており、
上記評価値は、上記所定の画素の近傍に位置する画素に対応する上記素子が駆動されることによって生じるエネルギー線であって、上記遮蔽部材によって上記所定の画素の上記所定の発光体への入射が抑制されないエネルギー線が上記所定の画素の発光体に入射する量に対応する値である構成を好適に採用できる。
【００１３】
この発明の第３の発明は、
発光体と上記発光体を励起させる素子とをそれぞれが有する複数の画素と、
上記素子を駆動する駆動信号を出力する駆動回路と、
複数の上記素子のうちの一部の上記素子が駆動されることによって生じるエネルギー線が該素子が対応する発光体に近接する発光体に入射されるのを抑制する遮蔽部材と、
上記駆動回路の前段に設けられ、所定の画素に対応する入力信号を補正値によって補正して上記駆動回路側に出力する補正回路とを有し、
上記補正値が、
上記所定の画素の近傍に位置する画素に対応する上記素子が駆動されることによって生じるエネルギー線であって、上記遮蔽部材によって上記所定の画素の上記発光体への入射が抑制されるエネルギー線の量に対応する評価値を、上記入力信号の値と上記画素の表示階調との間の非線形特性に応じて、上記所定の画素に対応する入力信号の値に基づいて調整した値に対応する値である
ことを特徴とする画像表示装置である。
【００１４】
この発明については、上記評価値が、上記所定の画素の近傍に位置する画素のうちの、上記所定の画素とは異なるタイミングで駆動される画素に対応する上記素子が駆動されることによって生じるエネルギー線であって、上記遮蔽部材によって上記所定の画素の上記発光体への入射が抑制されるエネルギー線の量に対応する値である構成や、上記補正値によって、上記所定の入力信号を、補正された信号によって得られる表示階調が補正されない入力信号によって得られる表示階調よりも大きくなるように補正する構成を好適に採用できる。
【００１５】
また、それぞれの発明において、上記補正値が、上記入力信号の値と上記画素の表示階調との間の非線形特性を示す特性曲線の、上記所定の画素に対応する入力信号の値近傍での傾きで、上記評価値を除算した値に対応する値である構成を好適に採用できる。
【００１６】
また、この発明は、以下の構成も含まれる。すなわち、
複数の画素と、
所定の画素の近傍に位置する画素が駆動されることによって生じるエネルギー線が前記所定の画素の発光体に入射する量を評価した値を算出する回路と、
前記評価した値を、入力信号の値と画素の表示階調の間の非線形特性に応じて、入力信号の値に基づいて調整する調整回路と、
前記調整された値に基づいて入力信号を補正する回路と、
該補正を受けた信号に基づいて上記画素を駆動する駆動信号を出力する駆動回路とを有する
ことを特徴とする画像表示装置である。
【００１７】
また、この発明は、以下の構成も含まれる。すなわち、
複数の画素と、
複数の上記画素のうちの一部の上記画素が駆動されることによって生じるエネルギー線が該画素に近接する画素の発光体に入射されるのを抑制する遮蔽部材と、
所定の画素の近傍に位置する画素が駆動されることによって生じるエネルギー線であって、上記遮蔽部材によって上記所定の画素の上記発光体への入射が抑制されるエネルギー線の量に対応する評価値を算出する回路と、
前記評価した値を、入力信号の値と画素の表示階調の間の非線形特性に応じて、入力信号の値に基づいて調整する調整回路と、
前記調整された値に基づいて入力信号を補正する回路と、
該補正を受けた信号に基づいて上記画素を駆動する駆動信号を出力する駆動回路とを有する
ことを特徴とする画像表示装置である。
【００１８】
また、この発明は、以下の構成も含まれる。すなわち、
画像信号の補正方法であって、
所定の画素の近傍に位置する画素の駆動状態を反映した値を算出するステップと、
該算出した値を、入力信号の値と画素の表示階調との間の非線形特性に応じて、前記所定の画素に対応する入力信号の値に基づいて調整するステップと、
該調整した値に基づいて画像信号を補正するステップと、
を有することを特徴とするものである。
【発明の効果】
【００１９】
この発明によれば、良好な画質を実現することが可能な画像形成装置を提供することができる。
【発明を実施するための最良の形態】
【００２０】
本発明者は、近接する画素間で干渉が生じる画像表示装置に着目し、その干渉による画質低下（目標輝度からのずれや画面内での輝度の不均一）が生じることを確認した。特に、本発明者は、この画質低下を改善するために特に好適な手法を検討した。まずこのような画素間の干渉が生じる画像表示装置として電子放出素子と、この電子放出素子と間隔を空けて配置される発光体とを用い、電子放出素子から放出される電子を上記発光体に照射して上記発光体を発光させるようにした画像表示装置を用いて検討を行った。
【００２１】
この画像表示装置において、本発明者は、複数の電子放出素子を配置した電子源と、それぞれ異なる色の発光色を有する蛍光体とを対向させて画像表示を行う実験を繰り返したところ、色再現性が所望の状態とが異なることを知見した。
【００２２】
具体例を挙げると、青と赤と緑の発光色をそれぞれ有する蛍光体を用い、青の蛍光体にのみ電子を照射して青色の発光を得ようとした場合に、純粋な青ではなく、わずかに他の色、具体的には緑と赤の発光が混ざった発光状態、すなわち、彩度が良くない発光状態になることがわかった。
【００２３】
そこで本発明者が、画質を改善するために鋭意研究を重ねた結果、電子放出素子を用いた従来の画像表示装置において見られる彩度の低下の原因は、電子放出素子から放出される電子が直接、またはその電子がこの電子放出素子に対応する発光体等で反射して、またはその電子によって間接的に発生する電子（二次電子）が、この電子放出素子に対応する発光領域のみならず、その近傍（近接および隣接含む）の異なる色の発光領域に入射することによって生じる非所望の発光が生じることを確認した。そこで、本発明者が、さらなる鋭意検討を行った結果、この非所望の発光による影響を信号処理により改善可能な補正方法を見出すに至った。
【００２４】
以下、この発明の実施形態について図面を参照しながら説明する。なお、以下の実施形態の全図においては、同一または対応する部分には同一の符号を付す。また、以下の実施形態においては、電子放出素子として、表面伝導型電子放出素子を備えた表面伝導型電子放出ディスプレイ（以下、ＳＥＤ）を用いた場合を例に説明する。
【００２５】
まず、この実施形態で用いる表示パネルの全体の構成を図１３に示す。
【００２６】
図１３に示すように、絶縁性基板であるガラス基板１２０１の上に、走査信号が印加される配線である走査配線１２０３と、以下に説明する補正がなされた信号に基づく変調信号が印加される配線である変調配線１２０４と、素子である表面伝導型放出素子１２０５とが形成されている。走査配線１２０３と変調配線１２０４はそれぞれ複数あり、マトリックス状に配置された素子を配線するマトリックス配線を構成している。ガラス基板１２
０１に対向する絶縁性基板であるガラス基板１２０２には発光体である蛍光体１２０６が形成されている。各表面伝導型放出素子に対向する領域が各表面伝導型放出素子に対応する発光体となる。これら発光体の間にはブラックストライプ１２０７が配されている。
【００２７】
なお、ブラックストライプに代えてブラックマトリックスを配してもよい。このようなブラックストライプやブラックマトリックスで書く発光体が区切られていない構成を採用することもできる。ブラックストライプやブラックマトリックスを用いずに、各素子に対応する発光体を互いに連続するものとして形成することもできるが、そのような場合でも、各素子に対応する部分を各素子に対応する発光体と称する。
【００２８】
また、以下の実施形態においては、発光体および、この発光体を励起させる素子によって構成される複数の画素と、この素子を駆動するための駆動信号を出力する駆動回路とを有して構成される画像表示装置に対して、この発明を適用した例を示すものである。
【００２９】
（第１の実施形態）
まず、この発明の第１の実施形態による表面伝統型電子放出ディスプレイに対して、ハレーション（所定の画素において、他の画素（を構成する素子）の駆動によって生じる非所望の発光）による彩度低下を軽減する駆動信号の補正方法について説明する。まず、この第１の実施形態による補正処理の原理について説明する。
【００３０】
すなわち、ＳＥＤにおいては、所定の画素である注目画素の蛍光体に電子が照射されると、この注目画素を中心として、ハレーションによる円形発光が発生する。このハレーションが及ぼされる円形領域を、その画素の「ハレーション領域」と称する。反対に、注目画素のハレーション領域内において画素が点灯していたとすると、その反射電子により注目画素がハレーション発光するということもできる。
【００３１】
これにより、注目画素をある輝度で表示しようとしても周囲の画素からのハレーションによって、実際に表示される輝度が高くなってしまう。このハレーションによる輝度上昇は、それぞれのＲ，Ｇ，Ｂにおいて、ほぼ同程度で発生するので、元の色に対して白を加えたようになり、彩度の低下を招いてしまう。
【００３２】
そこで、この第１の実施形態による補正方法として、注目画素に対する周囲の画素のハレーションによる輝度上昇を見積もり、その上昇分をあらかじめ差し引くように注目画素の駆動データを補正するようにする。これにより、実際に表示を行う際に、周囲の画素からのハレーションによる発光が加わることによって、所望の発光が得られるので、彩度の低下を防止することができる。以下に、この点について詳述する。
【００３３】
すなわち、ＳＥＤにおいてはハレーションによる反射電子の強度は蛍光体に照射された電荷量に対して一定の比率であり、かつ円形領域内においてほぼ均一であることがわかっている。また、蛍光体に照射される電荷量は、画素の駆動データに比例する。そのため、ある画素に対して入射する、この画素の近傍の画素からの反射電子の電荷量は、その画素のハレーション領域の画素の駆動データによる電荷量を積算したものから算出可能である。
【００３４】
なお、この実施形態では、所定の画素の近傍に位置する画素の駆動状態を反映した値であり、また、所定の画素の近傍に位置する画素に対応する素子が駆動されることによって生じるエネルギー線が所定の画素の発光体に入射する量を評価した値として、該近傍の画素の素子が駆動されることによって生じる反射電子が所定の画素の発光体に入射する量を採用しているが、他の画素の素子から直接入射する電子や、該電子による二次電子を考慮してもよい。
【００３５】
電荷量を算出することが可能になると、電荷量と輝度との関係から輝度の上昇分を計算することが可能となる。なお、この実施形態で考慮したのは、蛍光体の発光特性およびＳＥＤの駆動方法である。図１に、この第１の実施形態によるＳＥＤに用いられる蛍光体の発光特性を模式的に示す。なお、図１においては、蛍光体の表示階調（縦軸）に対する画素の駆動データ（横軸）の依存性を示す。また、表示階調とは、蛍光体の発光を１フレーム期間分積分した輝度をさす。
【００３６】
図１に示すように、蛍光体の発光特性は、線形特性ではなく、蛍光体への電荷量が増えて、駆動データが大きくなるのに従って、飽和する傾向を持っている。具体的には、発光特性を、画素の駆動データｘの関数γ（ｘ）として表すと、駆動データがＸのときの発光特性の傾きは、関数γ（ｘ）の導関数γ´（ｘ）におけるｘ＝Ｘの微分係数γ´（Ｘ）で表すことができる。
【００３７】
そのため、駆動データＸの時の表示階調をＬとすると、駆動データがＸからΔＸだけ変化したときの表示階調の変化量ΔＬは、以下の（１）式となる。
【数１】
2005301218.tif 000003
【００３８】
（１）式から、同じ駆動データの変化であっても元の駆動データの大きさによって表示階調の変化が異なるということになる。
【００３９】
次に、ＳＥＤの駆動方法について説明する。図２に、所定の画素ｐ３３を注目画素とし、この注目画素ｐ３３を中心とした縦横に５画素分の配置を示す。なお、図２において、画素ｐｎｍ（ｎ，ｍ：１〜５）は、この注目画素ｐ３３を中心とした、それぞれの画素を示す。また、ＳＥＤのハレーションは円形であるため、図２に示す領域Ａ，Ｂ，Ｃに存在する画素からのハレーションが注目画素ｐ３３に影響する。
【００４０】
ＳＥＤの駆動方法として、線順次駆動を用いた場合、１水平同期期間に１行の画素が同時に点灯する。そして、この点灯の間、他の行の画素は消灯している。図２に示す状態にあっては、まず、ｐ１１〜ｐ１５が同時に点灯した後、ｐ２１〜ｐ２５、ｐ３１〜ｐ３５、ｐ４１〜ｐ４５、ｐ５１〜ｐ５５が順にそれぞれ同時点灯する。
【００４１】
すなわち、ある行の画素が点灯している間、他の行の画素は点灯していない。そのため、注目画素ｐ３３に入射するハレーションの反射電子は、領域Ｂの画素からの反射電子が注目画素の点灯時に同時に注目画素の蛍光体に照射される。他方、ＡおよびＣの領域の画素からのハレーションの反射電子は、注目画素が点灯していないときに注目画素の蛍光体に照射される。
【００４２】
すなわち、領域Ａおよび領域Ｃからのハレーションによる表示階調の上昇ΔＬ１は、ハレーションによる電荷量に相当する駆動データの大きさＱ１とすると、以下の（２）式となる（図６参照）。
【数２】
2005301218.tif 000004
【００４３】
一方、領域Ｂの画素については、注目画素の点灯と同時に反射電子が注目画素に照射される。そのため、領域Ｂの画素からのハレーションによる表示階調の上昇ΔＬ２は、ハレーションによる電荷量に相当する駆動データの大きさをＱ２とすると、以下の（３）式と
なる（図６参照）。
【数３】
2005301218.tif 000005
【００４４】
そのため、ハレーションによる表示階調の上昇は、以下の（４）式となる。
【数４】
2005301218.tif 000006
【００４５】
この表示階調の上昇を差し引くように注目画素の駆動データを補正する。そのためには表示階調の上昇分を注目画素の駆動データＸにおける蛍光体の発光特性の傾きで割ればよい。駆動データの補正分、すなわち補正値をΔＸとすると、以下の（５）式が成立する。
【数５】
2005301218.tif 000007
【００４６】
そして、（２）式および（３）式を（５）式にあてはめると、以下の（６）式となる。
【数６】
2005301218.tif 000008
【００４７】
ところで、上述したように、ある画素のハレーションによる電荷量は、その画素の蛍光体に照射された電荷量に一定の比率をかけたものである。したがって、その画素のハレーションの電荷量に相当する駆動データの大きさは、線形的に変化する。
【００４８】
すなわち、ハレーションの電荷量に相当する駆動データの大きさは、その画素の駆動データに一定の比率をかけたものとなる。ここで、この比率を比例定数ｋとし、図２における領域Ａおよび領域Ｃの駆動データの合計をＣ１とすると、以下の（７）式が成立する。
【数７】
2005301218.tif 000009
【００４９】
また、図２の領域Ｂの駆動データの合計をＣ２とすると、以下の（８）式となる。
【数８】
2005301218.tif 000010
【００５０】
したがって、式（６）は、以下の（９）式となる。
【数９】
2005301218.tif 000011
【００５１】
また、駆動データＸに対してΔＸだけ補正した後の駆動データをＸ´とすると、（９）式から、以下の（１０）式が導出される。
【数１０】
2005301218.tif 000012
【００５２】
駆動データ（駆動信号）Ｘ´を（１０）式により表された値とすることにより、所望の表示輝度を実現することができ、彩度の低下を軽減することができる。
【００５３】
（補正回路）
次に、以上の補正原理が具体化された補正回路について説明する。図３に、この第１の実施形態による画像表示装置の補正回路の構成を示す。
【００５４】
図３に示すように、この第１の実施形態による補正回路は、加算器６，７、係数演算部８，９、ルックアップテーブル（ＬＵＴ）１０Ｒ，１０Ｇ，１０Ｂ、加算器１１Ｒ，１１Ｇ，１１Ｂ、乗算器１２Ｒ，１２Ｇ，１２Ｂ、加算器１３Ｒ，１３Ｇ，１３Ｂ、リミッタ１４、および近傍データ積算部２０を有して構成されている。
【００５５】
近傍データ積算部２０は、ＲＧＢ用として同一構成の回路が３つ設けられている。そして、補正前のＲＧＢのそれぞれの画素の駆動データＲ１，Ｇ１，Ｂ１（色ごとの入力信号）は、最初に、それぞれ対応した近傍データ積算部２０に入力されるように構成されている。この近傍データ積算部２０の詳細な構成を図４に示す。
【００５６】
（近傍データ積算部）
図４に示すように、この第１の実施形態による近傍データ積算部２０は、一水平同期期間（１Ｈ）遅延回路１、一画素（１Ｐ）遅延回路２、係数をデータにかける乗算器３、データを水平方向に積算する水平加算器４、水平方向に積算されたデータを垂直方向に積算する垂直加算器５を有して構成されている。
【００５７】
そして、この近傍データ積算部２０の処理においては、補正前のＲＧＢのそれぞれの画素の駆動データＲ１，Ｇ１，Ｂ１が、まず、それぞれ近傍データ積算部２０に入力される。なお、近傍データ積算部２０は、ＲＧＢにおいて同一構成であるので、この第１の実施形態においては、Ｒを代表例として説明する。
【００５８】
まず、１Ｈ遅延回路１について説明する。すなわち、この第１の実施形態による近傍データ積算部２０に入力されたデータＲ１は、１Ｈ遅延回路１によって１水平走査期間（１Ｈ）分だけ遅延される。以下の説明においては、データＲ１を一水平同期期間（１Ｈ）遅延させた信号を信号Ｒ２、さらに１Ｈ遅延させた信号を信号Ｒ３、さらに１Ｈ遅延させた信号を信号Ｒ４、さらに１Ｈ遅延した信号を信号Ｒ５とする。
【００５９】
通常、画像データは、画面上側の行データから入力される。そのため、信号Ｒ２は、常に信号Ｒ１の画面上で一行上のデータとなる。同様に、信号Ｒ３は、信号Ｒ２の一行上のデータとなり、信号Ｒ４は、信号Ｒ３の一行上のデータとなり、信号Ｒ５は、信号Ｒ４の一行上のデータとなる。
【００６０】
次に、１Ｐ遅延回路２について説明する。この第１の実施形態による１Ｐ遅延回路２は、データを水平方向に一画素分だけ遅延させる回路である。
【００６１】
具体的には、最下行２１を例とすると、入力された信号Ｒ５の一画素遅延された信号が信号Ｒ６となる。通常、画像データは、画面左側のデータから入力される。そのため、信号Ｒ６は、常に信号Ｒ５の画面上において左側の画素データである。同様に、信号Ｒ７は信号Ｒ６の左側の画素データであり、信号Ｒ８は信号Ｒ７の左側の画素データであり、信号Ｒ９は信号Ｒ８の左側の画素データである。なお、ここでは、最下行２１について説明したが、近傍データ積算部２０内のいずれの行においても、１Ｐ遅延回路２により同様な処理が実行される。
【００６２】
また、近傍データ積算部２０における上下左右の画素中の中央画素（以下、注目画素）のデータ（以下、注目画素データ）をＲ１５とする。この注目画素データＲ１５は、信号Ｒ３のデータを二画素分だけ水平に遅延させたデータである。すなわち、注目画素データＲ１５は、データＲ３の表示画素から左に２画素分だけ移動した画素を駆動するためのデータであるとともに、データＲ７の表示画素から下に２画素分だけ移動した画素を駆動するためのデータである。
【００６３】
この注目画素データＲ１５に注目すると、近傍データ積算部２０の内部のデータは、注目画素を中心に縦横５画素の矩形内のデータとなる。すなわち、近傍データ積算部２０は、注目画素データを中心として、縦横５画素分のデータを処理可能に構成されている。
【００６４】
また、上述の近傍データ積算部２０により処理されるデータの範囲は、ハレーションの及ぶ範囲によって決定される。この第１の実施形態によるＳＥＤにおいては、任意の蛍光体に電子が照射されると、電子が照射された画素を中心にハレーションによる円形発光が発生する。そのため、ハレーションの及ぶ円形領域の直径がｎ画素分であれば、縦横ｎ画素に対して処理を実行する必要がある。なお、上述した説明においては、ｎ＝５としたが、このｎの値は、ハレーションの及ぶ円形領域の直径（範囲）に基づいて決定され、例えばハレーションの及ぶ範囲が注目画素に隣接する上下左右の画素のみであれば、ｎ＝３とすればよく、ｎの値としては、ハレーションの及ぶ範囲に応じて、種々の値を取ることが可能である。
【００６５】
また、上述のハレーションの及ぶ円形領域の直径は、蛍光体が配置されているフェースプレートと、電子源が配置されているリアプレートとの間隔によって一意に決定する。そのため、フェースプレートとリアプレートとの間隔が既知であれば、処理を実行する画素範囲を一意的に決定することが可能である。
【００６６】
（乗算器）
また、乗算器３は、通常、２つの入力を乗算することにより生成された１つの信号を出力するものであるが、この第１の実施形態においては、図４に示すように、入力に対して乗算する係数を示すことにより、簡略化して描画する。すなわち、例えば、データＲ５が入力される乗算器３は、データＲ５に係数ａ１５を乗算したものを出力する。また、データＲ６には係数ａ１４が乗算され、データＲ７には係数ａ１３が乗算され、データＲ８には係数ａ１２が乗算され、データＲ９には係数ａ１１が乗算される構成となっている。ここでは、乗算器３の処理を近傍データ積算部２０の最下行２１について説明したが、近傍データ積算部２０内のいずれの行においても同様の処理が実行される。
【００６７】
（水平加算器）
また、水平加算器４は、一行分のデータを加算するためのものである。この第１の実施形態においては、１行あたり４つの水平加算器４が設けられている。さらに、これらの水平加算器４がそれぞれ５行分存在するため、近傍データ積算部２０内においては、全ての水平加算器４として、４×５＝２０個の水平加算器が必要となる。なお、これらの水平加算器４に入力されるデータは、上述した乗算器３から出力された信号であり、これらの乗
算器３から出力されたデータに対して、一行分の加算を実行するのが水平加算器４である。
【００６８】
以上のような、乗算器３および水平加算器４の処理を、例えば近傍データ積算部２０の最下行２１を例に数式で表すと、以下の（１１）式となる。
【数１１】
2005301218.tif 000013
【００６９】
この（１１）式で表される演算処理は、近傍データ積算部２０の最下行２１における処理である。そして、この処理は、近傍データ積算部２０内におけるいずれの行においても同様に実行されている。なお、係数ａ１１〜ａ５５の詳細については、後述する。
【００７０】
以上のようにして水平方向に積算された近傍データは、行２２のデータを除いて、垂直加算器５によって垂直方向に加算される。そして、水平加算器４により出力されるそれぞれの行の近傍データを、図４のようにそれぞれＲ１０〜Ｒ１４とすると、垂直加算器５の出力値Ｒ１６は、以下の（１２）式のように表すことができる。
【数１２】
2005301218.tif 000014
【００７１】
（１２）式には、注目画素の近傍データのうちの、注目画素と異なるタイミングで駆動される画素データに係数が乗算され積算されたものが示される。他方、上述した計算において、除かれていた行２２のデータＲ１２は、注目画素の近傍データのうちの注目画素と同じタイミングで駆動される画素データに係数が乗算され積算される。ここで、近傍データ積算部２０の係数ａ１１〜ａ５５について説明する。
【００７２】
図５Ａに、画素ｐ３３を注目画素とし、この注目画素にハレーションが起こる範囲である、注目画素ｐ３３を中心とした縦方向および横方向に沿った５画素分の配置を示す。なお、図５Ａ中において、ｐｎｍ（ｎ，ｍ＝１〜５、ｐ１１〜ｐ５５）は、それぞれ画素を示す。そして、あるタイミングにおいて、画素ｐ１１〜ｐ５５のデータに乗算する係数をａ１１〜ａ５５とする。
【００７３】
図５Ａに示すように、この第１の実施形態によるＳＥＤにおいては、注目画素（ｐ３３）にハレーションが生じるハレーション領域は、円形である。この注目画素ｐ３３に対するハレーション領域を実線６０で示す。そして、係数ａ１１〜ａ５５を簡単にするために、円形のハレーション領域内における画素としては、実線６０を点線６１に近似する。
【００７４】
また、この第１の実施形態においては、係数ａ１１〜ａ５５の値として、０か１かのいずれかの値となる。そして、注目画素にハレーション発光を起こしうる画素の係数が１であり、それ以外の係数が０である。また、注目画素にハレーション発光を起こしうる画素は、図５Ａに示す点線６１内の画素であることから、図５Ｂに示すように係数ａ１１〜ａ５５が決定される。なお、図５Ｂにおいては、左上が係数ａ１１、右下が係数ａ５５、中央が注目画素の係数ａ３３を示している。また、点線は、図５Ａと同様に近似したハレーション領域の範囲を示す。
【００７５】
この第１の実施形態においては、注目画素にハレーション発光を起こし得る画素の領域を、５×５画素の領域と仮定しているが、必ずしもこれに限定されるものではなく、注目画素にハレーション発光を起こし得る画素の領域が３×３画素領域であれば、注目画素の上下左右の係数、すなわちａ２３、ａ３２、ａ３３、ａ３４、ａ４３を１とし、これら以
外の係数を０とすればよい。なお、注目画素（ｐ３３）の反射電子が注目画素自体に照射されることがない場合には、注目画素に対応する係数ａ３３を０とすればよい。
【００７６】
また、ＳＥＤにおいては、輝点を中心とした円形領域にハレーション発光が発生する。このハレーション発光の強度Ｌ１は、円形領域内の画素にわたって、ほぼ均一であることがわかっている。したがって、円形領域内の係数は、すべて同一の値となる。
【００７７】
このように、係数ａ１１〜ａ５５を設定することによって、図３および図４に示すデータＲ１６は、注目画素（ｐ３３）にハレーション発光を及ぼす画素のうちで、注目画素（ｐ３３）と異なるタイミングで駆動される画素データの積算値になる。また、データＲ１２は、注目画素ｐ３３にハレーション発光を及ぼす画素のうちの、注目画素（ｐ３３）と同一のタイミングで駆動される画素データの積算値となる。そして、この第１の実施形態においては、データＲ１６およびデータＲ１２を近傍データ積算値と称する。このように、近傍データ積算部２０により、注目画素データＲ１５、近傍データ積算値Ｒ１２および近傍データ積算値Ｒ１６の３つの信号が出力される。
【００７８】
以上のようにして、近傍データ積算部２０の処理が実行される。なお、上述した近傍データ積算部２０の処理においては、Ｒの処理を例として説明したが、ＧおよびＢにおいても、同様の処理が実行される。すなわち、Ｇの処理においては、画像データＧ１が入力されると、注目画素データＧ１５、近傍データ積算値Ｇ１２および近傍データ積算値Ｇ１６が出力され、Ｂの処理においては、画像データＢ１が入力されると、注目画素データＢ１５、近傍データ積算値Ｂ１２および近傍データ積算値Ｂ１６が出力される。
【００７９】
次に、図３を用いて、近傍データ積算部２０の後段の処理について説明する。近傍データ積算部２０から出力された近傍データ積算値Ｒ１６，Ｇ１６，Ｂ１６は、加算器６により加算される。加算器６の出力をＷ１とするとＷ１は、（１３）式により表される。
【数１３】
2005301218.tif 000015
【００８０】
（１３）式において、Ｗ１は、注目画素（ｐ３３）近傍のデータのうちの、注目画素（ｐ３３）と異なるタイミングで駆動されるデータに、係数ａ１１〜ａ１５，ａ２１〜ａ２５，ａ４１〜ａ４５，ａ５１〜ａ５５が乗算されて積算されたデータについて、さらにＲＧＢの全てのデータを積算したものである。すなわち、Ｗ１は、（７）式、（９）式および（１０）式におけるＣ１に相当するものである。
【００８１】
また、ハレーションは、反射電子による物理的発光である。そのため、このハレーション自体は、ＲＧＢに関わりなく発生するものである。すなわち、画像表示装置において、Ｒの反射電子は、ＧＢの注目画素をも発光させる。同様に、Ｇ，Ｂの反射電子も、それぞれＲＢ，ＲＧの注目画素を発光させる。したがって、ハレーションを軽減するためには、他の色のハレーションデータをも注目画素データから減算させる必要がある。
【００８２】
そこで、係数演算部８においては、入力された出力データＷ１に対して所定の係数が乗算された後に、符号を反転させて出力するように構成されている。この乗算の係数は、上述した駆動データに対するハレーションの割合、すなわち（１０）式におけると同様の比例定数ｋである。
【００８３】
このＷ１に対して所定の係数を乗算した値が、注目画素の近傍に位置する画素であって異なるタイミングで駆動される画素の素子が駆動されることによって生じるエネルギー線が注目画素の発光体に入射する量を評価した値に相当する。したがって、係数演算部８の
出力データＷ３は、以下の（１４）式により表される。
【数１４】
2005301218.tif 000016
【００８４】
一方、近傍データ積算部２０から出力されたＲ１２，Ｇ１２，Ｂ１２は、加算器７に入力されて加算される。加算器７の出力をＷ２とすると、Ｗ２は（１５）式により表される。
【数１５】
2005301218.tif 000017
【００８５】
上述したＷ２は、注目画素近傍のデータのうち注目画素と同じタイミングで駆動されるデータに係数ａ３１〜ａ３５が乗算されて積算され、さらにＲＧＢの全てが積算されたものである。すなわち（８）〜（１０）式において、Ｃ２に相当するものである。
【００８６】
また、係数演算部９においては、入力されたデータＷ２に所定の係数が乗算された後、符号が反転されて出力される。この係数は、係数演算部８と同様の比例定数ｋである。したがって、係数演算部９の出力データＷ４は、以下の（１６）式により表される。
【数１６】
2005301218.tif 000018
【００８７】
また、係数演算部９の出力Ｗ４は、加算器１１Ｒ，１１Ｇ，１１Ｂによって、データＲ１５，Ｇ１５，Ｂ１５にそれぞれ加算され、Ｒ１７，Ｇ１７，Ｂ１７として出力される。この処理を数式で表すと以下の（１７）式となる。
【数１７】
2005301218.tif 000019
【００８８】
データＲ１７，Ｇ１７，Ｂ１７は、それぞれの乗算器１２Ｒ，１２Ｇ，１２Ｂにおいて、それぞれＬＵＴ１０Ｒ，ＬＵＴ１０Ｇ，ＬＵＴ１０Ｂの出力に乗算され、それぞれデータＲ１８，Ｇ１８，Ｂ１８として出力される。
【００８９】
これらのうちのＬＵＴ１０Ｒは、画素の駆動データをＸ、駆動データＸに対するＲの表示階調をγＲ（Ｘ）、γＲ（Ｘ）のＸにおける傾きをγＲ´（Ｘ）とすると、Ｘを入力としてγＲ´（０）/γＲ´（Ｘ）を出力するものである。同様に、ＬＵＴ１０Ｇは、駆動
データＸに対するＧの表示階調をγＧ（Ｘ）、γＧ（Ｘ）のＸにおける傾きをγＧ´（Ｘ）として、Ｘを入力としてγＧ´（０）/γＧ´（Ｘ）を出力するものである。また、Ｌ
ＵＴ１０Ｂは、駆動データＸに対するＢの表示階調をγＢ（Ｘ）、γＢ（Ｘ）のＸにおける傾きをγＢ´（Ｘ）として、Ｘを入力としてγＢ´（０）/γＢ´（Ｘ）を出力するも
のである。したがって、乗算器１２Ｒ，１２Ｇ，１２Ｂの出力Ｒ１８，Ｇ１８，Ｂ１８は、以下の（１８）式によって表される。
【００９０】
この値が、注目画素の近傍に位置する画素であって異なるタイミングで駆動される画素の素子が駆動されることによって生じるエネルギー線が注目画素の発光体に入射する量を
評価した値を、入力信号である駆動データと表示階調の間の非線形特性に応じて、入力信号である駆動データの値に基づいて調整した値となる。
【数１８】
2005301218.tif 000020
【００９１】
また、データＲ１７およびデータＲ１８は、加算器１３Ｒによって加算される。Ｇ，Ｂについても同様の処理が実行され、加算器１３Ｒ，１３Ｇ，１３Ｂのそれぞれの出力Ｒ１９、Ｇ１９、Ｂ１９は以下の式で表される。
【数１９】
2005301218.tif 000021
【００９２】
これらの式において、Ｗ１は、（１０）式におけるＣ１に相当するものであり、Ｗ２は、（１０）式におけるＣ２に相当するものである。これにより、（１０）式に示した補正と同様の補正が行われて彩度の低下を軽減することができる。なお、リミッタ１４は、加算器１３Ｒ，１３Ｇ，１３Ｂによる演算結果が負になった場合に、０を出力するために設けられたリミッタ回路である。
【００９３】
以上説明したように、この第１の実施形態による画像表示装置においては、画像表示装置における駆動回路の前段に、入力信号に対して、注目画素の素子に対応する入力信号から所定の補正値を減ずる補正を実行する補正回路を設け、この補正値として、注目画素を中心としたハレーションが生じる領域に存在する画素であり、かつ注目画素と異なるタイミングで駆動される素子が駆動されることによる注目画素の表示階調増加を評価した評価値を、入力信号に依存する表示階調特性における注目画素に対応する入力信号近傍の微分係数で除算した値に基づいて決定する値を採用していることにより、ハレーション領域におけるハレーションによる影響を、補正処理で減算させることでき、結果的に、ハレーションによる悪影響を除去することができるので、良好な発光状態を得ることが可能な画像表示装置を得ることができる。
【００９４】
なお、ここで、注目画素と同じタイミングで駆動される画素（素子）が駆動されることによる注目画素の表示階調への影響を評価して、注目画素に対応するデータを補正し、また注目画素と異なるタイミングで駆動される画素（素子）が駆動されることによる注目画素の表示階調への影響を評価して、注目画素に対応するデータを補正している。ただし、注目画素に対応するデータ（補正対象となるデータ）は補正値を算出するために用いた近
傍画素の対応データと同じフレームを構成するデータである必要はなく、近接フレーム間にはデータの相関性があることを利用してあるフレームのデータによって算出した補正値を他のフレームのデータの補正に用いることもできる。
【００９５】
（第２の実施形態）
次に、この発明の第２の実施形態による画像表示装置について説明する。この第２の実施形態による画像表示装置においては、第１の実施形態と異なり、電子を遮蔽する遮蔽部材としてのスペーサが設けられている。このスペーサとしては、ある画素行とその下の行の中央に配置されている板状の部材とする。そして、このスペーサが設けられた画像表示装置に対し、その駆動回路の前段に補正回路が設けられ、スペーサの近傍について、第１の実施形態と異なる補正処理を実行する場合について説明する。なお、以下に説明する構成および補正方法以外については、第１の実施形態におけると同様である（図３，図４参照）ので、その説明を省略する。
【００９６】
すなわち、通常、ＳＥＤにおいては、大気圧支持部材としてのスペーサが設けられている。ところが、このスペーサは発光体の間にあって、一方の発光体により反射され、他方の発光体に入射すべき電子を遮蔽する遮蔽部材としても機能してしまう。従って、スペーサ近傍においては、反射電子がスペーサによって遮られることにより、ハレーション強度が軽減してしまう。このため、スペーサ近傍の画素に対して、非スペーサ近傍の画素と同様の補正処理を行ってしまうと、スペーサ近傍の画素に対しては、かえって、過補正になってしまう。そこで、この第２の実施形態においては、第１の実施形態におけると異なり、スペーサ近傍においては、係数ａ１１〜ａ５５が変更される構成するとともに、近傍データ積算部２０の係数ａ１１〜ａ５５の値が変動可能に構成されている。
【００９７】
すなわち、図７に示すように、第１の実施形態での説明と同様に、近傍データ積算部２０の処理対象領域の画素をｐ１１〜ｐ５５とする。図４に示す係数ａ１１〜ａ５５は、それぞれ画素ｐ１１〜ｐ５５の画素データに乗算する係数である。また、この第２の実施形態において、スペーサの上の画素行を「上第一近接」、上第一近接の上の画素行を「上第二近接」、さらに上の画素行を「上第三近接」と、画素行について順次称することとする。具体的には、例えば、図７に示すように、スペーサがＡの位置に存在する場合、上第一近接は、ｐ５１〜ｐ５５の行である。また、上第二近接がｐ４１〜ｐ４５の行となり、上第三近接がｐ３１〜ｐ３５の行となる。さらに、スペーサの下の画素行を「下第一近接」、この下第一近接の下の画素行を「下第二近接」、さらにその下の画素行を「下第三近接」と、順次画素行を称することとする。具体的には、例えば、図７において、スペーサがＢの位置にある場合、ｐ５１〜ｐ５５の行が下第一近接である。また、この第２の実施形態においては、表示装置の垂直解像度は７６８本とし、スペーサは４０行おきに２０本配置されているものとする。
【００９８】
図７において、スペーサがＡの位置に存在する場合、注目画素ｐ３３に照射される反射電子が発生するのが画素ｐ５１〜ｐ５５の行が下限であり、その下の行における反射電子は、スペーサの有り無しに関係なく注目画素ｐ３３に照射されることがないため、注目画素ｐ３３に照射される反射電子がスペーサにより遮蔽されない。したがって、スペーサがＡの位置に存在する場合、係数ａ１１〜ａ５５は、第１の実施形態と同様に図５Ｂに示す値とする。
【００９９】
また、スペーサがＢの位置に存在する場合、注目画素ｐ３３に照射される反射電子のうちの、スペーサに対して注目画素ｐ３３とは反対側に位置する画素の反射電子が、スペーサにより遮られる。また、画素ｐ５１，ｐ５５の反射電子は、スペーサの有無とは無関係に注目画素ｐ３３には照射されない。他方、画素ｐ５２〜ｐ５４からの反射電子は、スペーサにより遮られる。
【０１００】
この第２の実施形態による近傍データ積算部２０は、第１の実施形態による近傍データ積算部２０と同様に、注目画素ｐ３３にハレーション発光を及ぼす画素の駆動データの積算値を算出する演算処理部である。したがって、スペーサにより反射電子が遮られることにより、ハレーション発光を及ぼさない画素データは、積算から除外する必要がある。そのため、図７においてスペーサがＢの位置に存在する場合においては、係数ａ５２〜ａ５４が０となり、係数ａ１１〜ａ５５に関しては、図８Ａに示す状態になる。
【０１０１】
また、図７に示すように、スペーサがＣの位置に存在する場合においても、このスペーサにより注目画素に照射されるべき反射電子が遮られる。この場合、スペーサに対し注目画素と反対側にある画素ｐ４１〜ｐ４５、ｐ５２〜ｐ５４の反射電子がスペーサにより遮られる。ｐ５１、ｐ５５の反射電子はスペーサの有り無しに関係なく注目画素ｐ３３に照射されることはない。このとき、係数ａ１１〜ａ５５は、図８Ｂのようになる。
【０１０２】
以上、注目画素ｐ３３がスペーサの上側に存在する場合について説明したが、他方で、スペーサがＤの位置に存在すると、注目画素ｐ３３は、スペーサの下側に位置することになる。この場合は、注目画素ｐ３３より下側の画素に関し、スペーサにより反射電子が遮られることがないため、注目画素ｐ３３より下側の係数ａ３１〜ａ５５は、第１の実施形態におけると同様の値となる。
【０１０３】
一方、注目画素ｐ３３より上側の画素の反射電子は、スペーサにより遮られることにより、係数ａ１１〜ａ２５がすべて０となる。また、スペーサがＤの位置に存在する場合においては、係数ａ１１〜ａ５５は、図８Ｃに示す値となる。同様に、スペーサが図７のＥの位置にある場合、スペーサに対し注目画素と反対側の画素の係数ａ１１〜ａ１５は０、それ以外の係数は、第１の実施形態におけると同様の値となる。これにより、スペーサがＥの位置に存在する場合、係数ａ１１〜ａ５５は、図８Ｄに示す値となる。また、スペーサがＦの位置に存在する場合、注目画素ｐ３３に照射される反射電子は、再びスペーサに遮られることがなくなる。そのため、この場合の係数は、第１の実施形態と同様に図５Ｂに示す値となる。
【０１０４】
また、上述したような係数の切換えは、水平同期期間内のブランク期間に実行される。具体的には、例えば、図７において、スペーサがＡの位置に存在する場合においては、図５Ｂに示す値が係数ａ１１〜ａ５５にそれぞれ設定されている。このとき、画素ｐ５１〜ｐ５５は、上第一近接である。すなわち、入力データＲ１，Ｇ１，Ｂ１は、画素ｐ５５の画素データであるから、入力データが上第一近接のデータとなる。
【０１０５】
次に、図７において、スペーサがＢの位置に存在する場合においては、画素ｐ５１〜ｐ５５は、下第一近接であり、入力データＲ１，Ｇ１，Ｂ１は、下第一近接のデータとなる。このとき、係数ａ１１〜ａ５５には、図８Ａに示す値がそれぞれ設定されている。そして、係数ａ１１〜ａ５５は、入力データが上第一近接データから下第一近接データになる間のブランク期間に、図５Ｂに示す値から図８Ａに示す値に切り替えられる。
【０１０６】
次に、スペーサが図７中Ｃの位置に存在する場合においては、画素ｐ５１〜ｐ５５は、下第二近接である。すなわち、入力データＲ１，Ｇ１，Ｂ１は下第二近接のデータである。このとき、係数ａ５１〜ａ５５には、図８Ｂに示す値が設定されている。そして、係数ａ５１〜ａ５５は、入力データが下第一近接データから下第二近接データに変わるブランク期間に、図８Ａに示す値から図８Ｂに示す値に切り替えられる。
【０１０７】
同様に、係数ａ１１〜ａ５５は、入力データが下第二近接データから下第三近接データに切り替わるブランク期間に、図８Ｂに示す値から図８Ｃに示す値に切り替えられる。ま
た、係数ａ１１〜ａ５５は、入力データが下第三近接から下第四近接に変わるブランク期間に、図８Ｃに示す値から図８Ｄに示す値に切り替えられる。また、係数ａ１１〜ａ５５は、入力データが下第四近接から下第五近接に変わるブランク期間に図８Ｄに示す値から図５Ｂに示す値に切り替えられる。
【０１０８】
以上により、近傍データ積算値Ｒ１６，Ｇ１６，Ｂ１６は、スペーサにより遮られた反射電子分のデータが含まれることなく、注目画素ｐ３３に照射された反射電子分のデータのみとなる。
【０１０９】
以上説明したように、この第２の実施形態によれば、第１の実施形態におけると同様の効果を得ることができるとともに、画素間に板状の部材などのスペーサが設けられた画像表示装置において、スペーサにより遮られたハレーションに関する補正を行うことなく、スペーサ近傍においても適切な補正処理を施すことが可能となり、良好な発光特性を確保することが可能な画像表示装置を得ることができる。
【０１１０】
（第３の実施形態）
次に、この発明の第３の実施形態による補正方法について説明する。この第３の実施形態においては、スペーサ近傍画素データにハレーション分のデータを付与する例について説明する。
【０１１１】
通常、画像表示装置におけるスペーサ近傍においては、反射電子がスペーサにより遮られてしまう。そのため、非スペーサ近傍よりハレーション強度が軽減し、輝度むらや色むらが発生する。この第３の実施形態においては、非スペーサ近傍においては補正処理を実行せず、スペーサ近傍に対してのみ補正処理を実行することにより、非スペーサ近傍と同様の輝度および色度を確保する。
【０１１２】
すなわち、この第３の実施形態においては、第２の実施形態におけると同様に、スペーサとしては、ある画素行とその下の行の中央に配置されている板状の部材とする。さらに、表示装置の垂直解像度は、第２の実施形態と同様の７６８本とし、スペーサは４０行おきに２０本配置されているものとする。他方、第２の実施形態と異なり、この第３の実施形態においては、スペーサによって遮られるハレーションの量が算出され、この見積量を注目画素のデータに加算する。これにより、輝度むらや色むらの発生を軽減する。
【０１１３】
スペーサが行と行との間に配置されている構成の場合、注目画素と同じ行にある画素からのハレーションはスペーサに遮られることはない一方で、注目画素と異なる行にあり、注目画素と異なるタイミングで駆動される画素からのハレーションがスペーサに遮られる場合がある。
【０１１４】
したがって、注目画素の駆動データをＸとし、駆動データＸの補正後の駆動データをＸ´とすると、第１の実施形態における（１０）式は、この第３の実施形態において、以下の（２０）式のように表される。
【数２０】
2005301218.tif 000022
【０１１５】
そして、この（２０）式に従って補正処理を実行することにより、第１および第２の実施形態と同様の効果を得ることができる。ここで、Ｃ３は、注目画素のハレーション領域にあって、そのハレーションがスペーサによって遮られる画素の駆動データの合計である
。
【０１１６】
この第３の実施形態による補正回路の要部を図９に示し、近傍データ積算部を図１０に示す。図９に示すように、この第３の実施形態による補正回路の要部においては、近傍データ積算部２３の出力がそれぞれデータＲ１５およびデータＲ１６と、データＧ１５およびデータＧ１６と、データＢ１５およびデータＢ１６との２つずつで構成されている点が第１および第２の実施形態と異なる。また、データＲ１２，Ｇ１２，Ｂ１２を処理する加算器７が設けられておらず、係数演算部８において、出力時に符号が反転されない点で、第１および第２の実施形態と異なる。また、図１０に示すように、この第３の実施形態においては、図４に示す行２２のデータに乗じていた係数ａ３１〜ａ３５が存在せず、データＲ１２を算出可能な加算器が設けられていない点で、第１の実施形態と異なる。その他の構成については、第１の実施形態と同様であるので、その説明を省略する。
【０１１７】
まず、注目画素が非スペーサ近傍にある場合について説明する。図７において、スペーサがＡまたはＦ、または注目画素ｐ３３から見て、スペーサがＡ，Ｆより外側に存在する場合について考える。換言すると、注目画素ｐ３３が上第二近接から下第二近接の間に存在しないことと等価である。この場合、注目画素ｐ３３に照射される反射電子がスペーサに遮られることはないので、輝度、色度むらは発生しない。
【０１１８】
この第３の実施形態においては、近傍データ積算部２３は、注目画素に照射する反射電子がスペーサで遮られる画素のデータ積算値を計算する。この場合、スペーサで遮られる画素はないため、係数ａ１１〜ａ２５，ａ４１〜ａ５５は、図１１Ａに示すように、全て０に設定される。図１１は図８と同様の図であるがこの第３の実施形態の場合ａ３１〜ａ３５がないため、その部分を空欄で表示している。図９の近傍データ積算部２３の出力データＲ１６，Ｇ１６，Ｂ１６は、すべて０となり、これらのデータを加算する加算器６の出力データＷ１も０となる。
【０１１９】
ここで、上述した第１および第２の実施形態においては、係数演算部８として、係数ｋを乗算し符号を反転して出力するものが用いられていた。他方、この第３の実施形態においては、係数演算部８として、係数ｋを入力信号に乗算し符号を反転せずに出力するものが用いられる。なお、ここでは、入力信号Ｗ１が０であるため、係数演算部８の出力データＷ３も０である。
【０１２０】
係数演算部８の出力データＷ３は、乗算器１２ＲでＬＵＴ１０Ｒの出力と掛け合わされてＲ１８となった後、加算器１３ＲでＲ１５と加算される。この場合、Ｗ３が０であるのでＲ１８も０となり、加算器１３Ｒの出力Ｒ１９はＲ１５と同じになる。また、Ｇ，Ｂに関しても同様の処理が実行され、それぞれの加算器１３Ｇ，１３Ｂにおけるそれぞれの出力Ｇ１９，Ｂ１９は、それぞれＧ１５，Ｂ１５と同じになる。その結果、補正処理がされていない状態のデータが表示される。
【０１２１】
以上のように、注目画素が非スペーサ近傍に存在する状態の場合、この第３の実施形態においては、補正処理が実行されずに入力データがそのまま表示される。
【０１２２】
次に、注目画素３３がスペーサ近傍に存在する場合について説明する。図７に示すように、スペーサがＢの位置に存在する場合、注目画素ｐ３３に照射される反射電子のうちの、スペーサに対して注目画素ｐ３３と反対側に位置する画素の反射電子は、スペーサにより遮られる。そのため、画素ｐ５１，ｐ５５の反射電子は、スペーサの有無とは無関係に注目画素ｐ３３に照射されない。なお、画素ｐ５２〜ｐ５４の反射電子は、スペーサにより遮られる。
【０１２３】
この第３の実施形態の場合、近傍データ積算部２３は、注目画素に照射する反射電子がスペーサで遮られる画素のデータ積算値を計算する。したがって、図７において、スペーサがＢの位置に存在する場合、係数ａ５２〜ａ５４は１、それ以外は０となり、係数ａ１１〜ａ２５，ａ３１〜ａ５５は、図１１Ｂに示すようになる。
【０１２４】
そして、近傍データ積算部２３の出力を、加算器６により加算することによって、Ｗ１とする。Ｗ１は、注目画素と異なるタイミングで駆動される画素のうちの、ハレーションがスペーサによって遮られる画素の駆動データの積算値となる。
【０１２５】
すなわち、上述した（２０）式におけるＣ３に相当する。また、Ｗ１は、係数演算部８において比例定数倍（ｋ倍）された後、ＬＵＴ１０Ｒの出力と掛け合わされ、加算器１３ＲによりデータＲ１５と加算される。この処理については、Ｇ，Ｂについても同様に実行される。したがって、加算器１３Ｒ，１３Ｇ，１３Ｂの出力は、以下の（２１）式となる。
【数２１】
2005301218.tif 000023
【０１２６】
（２１）式によれば、（２０）式と同様の補正処理が実行されることになる。なお、この第３の実施形態においては、加算器１３Ｒ，１３Ｇ，１３Ｂの出力が、駆動データの取りうる最大値を超えないように制限するために、それぞれの後段にリミッタ１４が設けられている。
【０１２７】
また、図７において、スペーサがＣの位置に存在する場合、注目画素に照射されるはずの反射電子がスペーサにより遮られる。この場合、スペーサに対して、注目画素と反対側にある画素ｐ４１〜ｐ４５、ｐ５１〜ｐ５５の反射電子がスペーサによって遮られる。この第３の実施形態においては、スペーサで反射電子が遮られる画素の係数が１となるため、係数ａ１１〜ａ２５，ｐ４１〜ｐ５５は、図１１Ｃのようになる。このとき、加算器の出力データＷ１はスペーサで遮られることで注目画素ｐ３３に照射されなかったハレーション分のデータに相当する。
【０１２８】
また、図７において、スペーサがＤの位置に存在する場合、スペーサにより反射電子が遮られる画素は、スペーサの上側に位置する。この場合の係数ａ１１〜ａ２５，ａ４１〜ａ５５は、図１１Ｄに示すようになる。同様に、図７において、スペーサがＥの位置に存在する場合、係数ａ１１〜ａ２５，ａ４１〜ａ５５は、図１１Ｅに示すようになる。また、これらの係数の切換えについては、水平同期期間内のブランク期間に行われる。なお、この切換え動作に関しては、第２の実施形態におけると同様であるので、説明を省略する。
【０１２９】
以上説明したように、この第３の実施形態による画像表示装置の補正方法によれば、第１および第２の実施形態と同様の効果を得ることができるとともに、スペーサにより遮られたハレーション分のデータを補正データとして注目画素の駆動データに付与することに
よって、スペーサ近傍の補正を行っていることにより、スペーサ近傍と非スペーサ近傍とにおける輝度むらや色度むらを軽減することができる。
【０１３０】
以上、この発明の実施形態について具体的に説明したが、この発明は、上述の実施形態に限定されるものではなく、この発明の技術的思想に基づく各種の変形が可能であり、具体的にはプラズマディスプレイのように、エネルギー線として紫外線を用いる構成においても同様に適用可能である。
【０１３１】
また、以上の画像表示装置を用いて高画質なテレビジョン装置を構成することができる。
【０１３２】
（テレビジョン装置）
図１２を用いて本発明が適用されるテレビジョン装置について説明する。図１２は、本発明に係るテレビジョン装置のブロック図である。テレビジョン装置は、セットトップボックス（ＳＴＢ）５０１と、以上の実施形態で説明した画像表示装置５０２と、を備える。
【０１３３】
セットトップボックス（ＳＴＢ）５０１は、受信部を構成する受信回路５０３およびＩ／Ｆ部５０４を有する。受信回路５０３は、チューナーやデコーダ等からなり、衛星放送や地上波等のテレビ信号、ネットワークを介したデータ放送等を受信し、復号化した映像データをＩ／Ｆ部５０４に出力する。Ｉ／Ｆ部５０４は、映像データを画像表示装置５０２の表示フォーマットに変換して画像表示装置５０２に画像データを出力する。
【０１３４】
画像表示装置５０２は、表示パネル２００、補正回路５０５、駆動回路５０６を有する。補正回路５０５は図３、図９に示す補正のための回路である。駆動回路５０６は補正回路が出力する画像信号に基づいて変調信号を発生させる。この変調信号は、図１３に示す表示パネルの変調配線に印加される。
【０１３５】
表示パネルは複数の変調配線を有しているので、駆動回路５０６は各変調配線に対応するように複数の変調信号出力部を有する。各変調信号出力部から各変調配線に変調信号が出力されるが、頭１３においては、各変調信号出力部から各変調配線への出力を一つの線にまとめて図示している。Ｉ／Ｆ部５０４からの画像データが一旦画像信号入力部にてＲＧＢ信号にデコードされて、ＲＧＢ信号が補正回路に入力される。
【０１３６】
なお、受信回路５０３とＩ／Ｆ部５０４は、セットトップボックス（ＳＴＢ）５０１として画像表示装置５０２とは別の筐体に収められていてもよいし、また画像表示装置５０２と同一の筐体に収められていてもよい。
【図面の簡単な説明】
【０１３７】
【図１】この発明が適用される画像表示装置に用いられる蛍光体の発光特性を説明するためのグラフである。
【図２】この発明の第１の実施形態によるＳＥＤを線順次駆動した場合のハレーション領域の分類を説明するための略線図である。
【図３】この発明の第１の実施形態による画像表示装置の補正回路の構成を示すブロック図である。
【図４】この発明の第１の実施形態による近傍データ積算部を示すブロック図である。
【図５】図５Ａが、この発明の第１の実施形態による注目画素周辺の画素配置を示す略線図であり、図５Ｂが、係数ａ１１〜ａ５５の値を示す略線図である。
【図６】この発明の第１の実施形態による画像表示装置において生じるハレーションによる表示階調上昇を説明するための略線図である。
【図７】この発明の第１の実施形態による注目画素周辺の画素・スペーサの配置を示す略線図である。
【図８】この発明の第１の実施形態による係数ａ１１〜ａ５５の値を示す略線図である。
【図９】この発明の第３の実施形態による画像表示装置の補正回路の構成を示すブロック図である。
【図１０】この発明の第３の実施形態による近傍データ積算部の詳細を示すブロック図である。
【図１１】この発明の第３の実施形態による近傍データ積算部において用いられる係数ａ１１〜ａ２５，ａ４１〜ａ５５の値を示す略線図である。
【図１２】この発明の実施形態による画像表示装置を用いたテレビジョン装置の構成を示すブロック図である。
【図１３】この発明の実施形態による表示パネルの構成を示す斜視図である。
【符号の説明】
【０１３８】
１  一水平同期期間（１Ｈ）遅延回路
２  一画素（１Ｐ）遅延回路
３  乗算器
４  水平加算器
５  垂直加算器
６，７  加算器
８，９  係数演算部
１０Ｒ，１０Ｇ，１０Ｂ  ＬＵＴ
１１Ｒ，１１Ｇ，１１Ｂ  加算器
１２Ｒ，１２Ｇ，１２Ｂ  乗算器
１３Ｒ，１３Ｇ，１３Ｂ  加算器
２０，２３  近傍データ演算部
６０  ハレーション領域
６１  近似したハレーション領域
【図１】
2005301218.tif 000024
【図２】
2005301218.tif 000025
【図３】
2005301218.tif 000026
【図４】
2005301218.tif 000027
【図５】
2005301218.tif 000028
【図６】
2005301218.tif 000029
【図７】
2005301218.tif 000030
【図８】
2005301218.tif 000031
【図９】
2005301218.tif 000032
【図１０】
2005301218.tif 000033
【図１１】
2005301218.tif 000034
【図１２】
2005301218.tif 000035
【図１３】
2005301218.tif 000036